【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
シングルエンド論理レベルベースのデータ信号およびクロック信号（ＨＳ）と、
特に、コモンモードベースの差動データ信号およびクロック信号（ＬＰ）との両方を、
少なくとも１つのデータソースに割り当て可能な少なくとも１つの送信装置（Ｓ）と、少なくとも１つのデータシンクに割り当て可能な少なくとも１つの受信装置（Ｅ）との間で、
前記シングルエンド論理レベルベースのデータ信号およびクロック信号（ＨＳ）と、前記差動データ信号およびクロック信号（ＬＰ）をシリアル化する少なくとも１つの共通信号ストリーム（ＳＩ）の形態で、および／または
前記差動データ信号およびクロック信号（ＬＰ）を含む少なくとも１つの信号ストリームの形態で、
伝送するための回路装置（Ａ）。
【請求項２】
前記共通信号ストリーム（ＳＩ）は、少なくとも１つの光媒体（ＯＭ）を介して、具体的には、少なくとも１つの光導波路を介して、例えば、少なくとも１つのガラス繊維または少なくとも１つのプラスチック繊維を介して送信され得ることを特徴とする請求項１に記載の回路装置。
【請求項３】
前記差動データ信号およびクロック信号（ＬＰ）を備える信号ストリームを、少なくとも１つの電気的またはガルバニックな、具体的には、１ビット幅のリンク（ＧＡ）を介して、具体的には、少なくとも１つの銅ケーブルを介して、および／または、少なくとも１つのプリント回路基板上に配置された少なくとも１つの電気的ラインを介して送信することができることを特徴とする請求項１または２に記載の回路装置。
【請求項４】
前記電気的またはガルバニックなリンク（ＧＡ）は、
前記送信装置（Ｓ）において、特に、少なくとも１つの論理モジュール（ＧＳ）が備えられた少なくとも１つのスイッチ（ＷＳ）に割り当てられ、それを用いて、前記受信装置（Ｅ）への電気的またはガルバニックなリンク（ＧＡ）を閉じることができ、および前記受信装置（Ｅ）において、論理モジュール（ＧＥ）が備えられた少なくとも１つのスイッチ（ＷＥ）に割り当てられ、それを用いて、前記送信装置（Ｓ）への電気的またはガルバニックなリンク（ＧＡ）を閉じることができることを特徴とする請求項３に記載の回路装置。
【請求項５】
前記送信装置（Ｓ）は、
前記データ信号およびクロック信号のための少なくとも１つの入力部（ＥＳ）と、
前記入力部（ＥＳ）の下流の、前記データ信号およびクロック信号を受け取るための少なくとも１つの送信インタフェースロジック（ＬＳ）と、
前記送信インタフェースロジック（ＬＳ）の下流の、共通信号ストリーム（ＳＩ）を生成するための少なくとも１つのシリアライザ（ＳＥ）と、
前記シリアライザ（ＳＥ）の上流で、前記送信インタフェースロジック（ＬＳ）のクロックモジュール（ＣＳ）の下流に設けられた、少なくとも１つの基準クロックを生成するための少なくとも１つのクロック発振器（ＰＳ）、特に、位相ロックループ、例えば、クロックマルチプライヤユニットと、
前記シリアライザ（ＳＥ）の下流の少なくとも１つの出力ドライバ（ＡＴ）と、
前記出力ドライバ（ＡＴ）の下流の、前記共通信号ストリーム（ＳＩ）を前記受信装置（Ｅ）へ送信するための少なくとも１つの出力部（ＡＳ）と、
を備えることを特徴とする請求項１または４に記載の回路装置。
【請求項６】
前記シリアライザ（ＳＥ）は、
前記送信インタフェースロジック（ＬＳ）の下流の、前記共通信号ストリーム（ＳＩ）のための、前記受信装置（Ｅ）で認識可能な少なくとも１つのフレームを生成するための少なくとも１つのフレーマ（ＦＲ）と、
前記フレーマ（ＦＲ）の下流の、前記共通信号ストリーム（ＳＩ）を生成するための少なくとも１つのマルチプレクサ（ＭＵ）と、
を備えることを特徴とする請求項５に記載の回路装置。
【請求項７】
前記シングルエンド論理レベルベースのデータ信号（ＨＳＤ０，ＨＳＤ１，ＨＳＤ２，ＨＳＤ３）と前記差動データ信号（ＤＤ０＋，ＤＤ０−，ＤＤ１＋，ＤＤ１−，ＤＤ２＋，ＤＤ２−，ＤＤ３＋，ＤＤ３−）との両方を、フレーマ（ＦＲ）に印加することができること、および、前記フレーマは、少なくとも１つの符号器（ＫＯ）を用いて、具体的には、少なくとも１つの５ｂ／６ｂ符号器ブロックを用いて、前記差動データ信号（ＤＤ０＋，ＤＤ０−，ＤＤ１＋，ＤＤ１−，ＤＤ２＋，ＤＤ２−，ＤＤ３＋，ＤＤ３−）を、前記シングルエンド論理レベルベースのデータ信号（ＨＳＤ０，ＨＳＤ１，ＨＳＤ２，ＨＳＤ３）のストリームに埋め込むことを特徴とする請求項６に記載の回路装置。
【請求項８】
前記受信装置（Ｅ）は、
前記送信装置（Ｓ）によって送信された前記共通信号ストリーム（ＳＩ）のための少なくとも１つの入力部（ＥＥ）と、
前記共通信号ストリーム（ＳＩ）を受け取るための少なくとも１つの入力増幅器（ＥＶ）と、
前記データ信号およびクロック信号を共通信号ストリーム（ＳＩ）から復元するための少なくとも１つのクロックおよびデータリカバリユニット（ＣＤ）と、
前記クロックおよびデータリカバリユニット（ＣＤ）の下流の、少なくとも１つの受信インタフェースロジック（ＬＥ）の少なくとも１つのクロックモジュール（ＣＥ）と、
前記クロックおよびデータリカバリユニット（ＣＤ）の下流の、前記データ信号を再並列化するための、および前記再並列化されたデータ信号を前記受信インタフェースロジック（ＬＥ）に割り当てるための少なくとも１つのデシリアライザ（ＤＳ）と、
前記受信インタフェースロジック（ＬＥ）の下流の、前記データ信号およびクロック信号のための少なくとも１つの出力部（ＡＥ）と、
を備えることを特徴とする請求項１〜７の少なくとも一項に記載の回路装置。
【請求項９】
前記デシリアライザ（ＤＳ）は、
前記クロックおよびデータリカバリユニット（ＣＤ）の下流の、前記データ信号を再並列化するための少なくとも１つのデマルチプレクサ（ＤＭ）と、
前記デマルチプレクサ（ＤＭ）の下流の、前記再並列化されたデータ信号を、前記受信インタフェースロジック（ＬＥ）に割り当てるための少なくとも１つのデフレーマ（ＤＦ）と、
を備えることを特徴とする請求項８に記載の回路装置。
【請求項１０】
前記デフレーマ（ＤＦ）は、前記差動データ信号（ＤＤ０＋，ＤＤ０−，ＤＤ１＋，ＤＤ１−，ＤＤ２＋，ＤＤ２−，ＤＤ３＋，ＤＤ３−）を、少なくとも１つの復号器（ＤＫ）を用いて、具体的には、少なくとも１つの６ｂ／５ｂ復号器ブロックを用いて、前記シングルエンド論理レベルベースのデータ信号（ＨＳＤ０，ＨＳＤ１，ＨＳＤ２，ＨＳＤ３）と分けて、前記再並列化されたデータ信号を、それぞれのデータライン（ＣＨ０＋，ＣＨ０−，ＣＨ１＋，ＣＨ１−，ＣＨ２＋，ＣＨ２−，ＣＨ３＋，ＣＨ３−）に割り当てることを特徴とする請求項９に記載の回路装置。
【請求項１１】
シングルエンド論理レベルベースのデータ信号およびクロック信号（ＨＳ）と、
特に、コモンモードベースの、差動データ信号およびクロック信号（ＬＰ）との両方を、
少なくとも１つのデータソースに割り当て可能な少なくとも１つの送信装置（Ｓ）と、少なくとも１つのデータシンクに割り当て可能な少なくとも１つの受信装置（Ｅ）との間で、
シングルエンド論理レベルベースのデータ信号およびクロック信号（ＨＳ）と、差動データ信号およびクロック信号（ＬＰ）をシリアル化する少なくとも１つの共通信号ストリーム（ＳＩ）の形態で、および／または
差動データ信号およびクロック信号（ＬＰ）を含む少なくとも１つの信号ストリームの形態で、
伝送するための方法。
【請求項１２】
前記共通信号ストリーム（ＳＩ）は、少なくとも１つの光媒体（ＯＭ）を介して、具体的には、少なくとも１つの光導波路を介して、例えば、少なくとも１つのガラス繊維および／または少なくとも１つのプラスチック繊維を介して送信されることを特徴とする請求項１１に記載の方法。
【請求項１３】
前記差動データ信号およびクロック信号（ＬＰ）を備える信号ストリームは、少なくとも１つの電気的またはガルバニックな、具体的には、１ビット幅のリンク（ＧＡ）を介して、具体的には、例えば、少なくとも１つの銅ケーブルを介して、および／または例えば、少なくとも１つのプリント回路基板上に配置された少なくとも１つの電気的ラインを介して送信されることを特徴とする請求項１１または１２に記載の方法。
【請求項１４】
前記電気的またはガルバニックなリンク（ＧＡ）は、
受信装置（Ｅ）の方向において、少なくとも１つの、具体的には、少なくとも１つの論理モジュール（ＧＳ）によって作動される少なくとも１つのスイッチ（ＷＳ）を用いて、送信装置（Ｓ）内で閉じられ、および、
前記送信装置（Ｓ）の方向において、少なくとも１つの、具体的には、少なくとも１つの論理モジュール（ＧＥ）によって作動される少なくとも１つのスイッチ（ＷＥ）を用いて、前記受信装置（Ｅ）内で閉じられることを特徴とする請求項１３に記載の方法。